(57)【要約】【課題】冷房運転する水冷ヒートポンプと暖房運転する水冷ヒートポンプとが混在する場合にも高い省エネルギー効率で冷暖房を行うことができる水冷ヒートポンプ式空調熱源装置を提供する。【解決手段】水冷ヒートポンプ式空調熱源装置１０は、低温の熱源水が流れる低温側配管３１と、高温の熱源水が流れる高温側配管３２と、各水冷ヒートポンプ１３について、高温側配管３２から低温側配管３１へ向けて熱源水が流れる状態と、低温側配管３１から高温側配管３２へ向けて熱源水が流れる状態とを切り替える四方弁１７と、高温側配管３２と、低温側配管３１との熱収支のバランスをとる熱バランス手段と、を備える。【選択図】図１
2007315621.tif 000002
【特許請求の範囲】
【請求項１】
複数の水冷ヒートポンプを備えた空調熱源装置であって、
低温の熱源水が流れる低温側配管と、
高温の熱源水が流れる高温側配管と、
各水冷ヒートポンプについて、前記高温側配管から前記低温側配管へ向けて熱源水が流れる状態と、前記低温側配管から前記高温側配管へ向けて熱源水が流れる状態とを切り替える方向切替手段と、
前記高温側配管と、前記低温側配管との熱収支のバランスをとる熱バランス手段と、を備えることを特徴とする水冷ヒートポンプ式空調熱源装置。
【請求項２】
前記熱バランス手段は、
前記高温側配管の熱源水を冷却して前記低温側配管に供給する高温熱源水冷却手段と、
前記低温側配管の熱源水を加熱して前記高温側配管に供給する低温熱源水加熱手段と、
前記高温側配管及び前記低温側配管の熱源水の温度に応じて前記高温熱源水冷却手段及び低温熱源水加熱手段を制御する制御手段とを有することを特徴とする請求項１記載の水冷ヒートポンプ式空調熱源装置。
【請求項３】
請求項２記載の空調熱源装置であって、
前記高温側配管及び前記低温側配管を流れる熱源水の温度を検出する温度検出手段を備え、
前記制御手段は、
前記低温熱源水加熱手段が作動している場合には、前記温度検出手段により測定される高温側配管を流れる熱源水の温度が、所定の温度Ｔｍｉｎ以上に保たれるように前記低温熱源水加熱手段による熱源水の加熱量を制御し、
前記高温熱源水冷却手段が作動している場合には、前記温度検出手段により測定される低温側配管を流れる熱源水の温度が、所定の温度Ｔｍａｘ以下に保たれるように前記高温熱源水冷却手段による熱源水の冷却量を制御することを特徴とする水冷ヒートポンプ式空調熱源装置。
【請求項４】
請求項３記載の空調熱源装置であって、
前記低温熱源水加熱手段は、
熱源水を加熱する温熱源機器と、前記低温側配管を流れる熱源水を前記温熱源機器を介して、前記高温側配管に送る温熱ポンプと、からなり、
前記高温熱源水冷却手段は、
熱源水を冷却する冷熱源機器と、前記高温側配管を流れる熱源水を前記冷熱源機器を介して、低温側配管に送る冷熱ポンプと、からなり、
前記制御手段は、
前記温度検出手段で測定される熱源水の温度が低下してＴｍｉｎに達すると、前記温熱ポンプ及び前記温熱源機器を運転させるとともに、前記温度検出手段で測定される温度がＴｍｉｎを下回らないように、前記温熱源機器の運転状態を制御し、
前記温度検出手段で測定された熱源水の温度が上昇してＴｍａｘに達すると、前記冷熱ポンプ及び前記冷熱源機器を運転させるとともに、前記温度検出手段により測定される温度がＴｍａｘを上回らないように、前記冷熱源機器の運転状態を制御することを特徴とする水冷ヒートポンプ式空調熱源装置。
【請求項５】
請求項３又は４記載の空調熱源装置であって、
前記高温熱源水冷却手段及び低温熱源水加熱手段に対して、最も下流側にて前記低温側配管と前記高温側配管とを結ぶように設けられたバイパス配管と、
前記バイパス配管に設けられた流量計とを備え、
前記温度検出手段は、前記バイパス配管に流れる熱源水の温度を測定する温度計からなり、
前記制御手段は、前記流量計により測定された流量が、前記温度計で熱源水の温度を測定することができる所定の流量以上になるように前記バイパス配管を流れる流量を制御することを特徴とする水冷ヒートポンプ式空調熱源装置。
【発明の詳細な説明】
【技術分野】
【０００１】
本発明は、水冷ヒートポンプにより冷暖房を行う水冷ヒートポンプ式空調熱源装置に関し、特に、複数の水冷ヒートポンプを有する水冷ヒートポンプ式空調熱源装置に関する。
【背景技術】
【０００２】
従来より、建物に水冷ヒートポンプを設け、室内の冷暖房を行う空調熱源装置が用いられている。このような空調熱源装置１００は、例えば図６に示すように、複数の水冷ヒートポンプ１０２と、熱源水を冷却又は加熱するための冷熱源機器及び温熱源機器１０１と、冷熱源機器及び温熱源機器１０１で冷却又は加熱された熱源水を水冷ヒートポンプ１０２に供給する供給側配管１０３と、水冷ヒートポンプ１０２より排出された熱源水を冷熱源機器及び温熱源機器１０１へと戻すための排出側配管１０４とで構成される。
【０００３】
同図に示すように、従来の空調熱源装置１００では、複数の水冷ヒートポンプ１０２に対して、一の供給側配管１０３により熱源水を供給している。このため、一部の水冷ヒートポンプ１０２が冷房運転し、他の水冷ヒートポンプ１０２が暖房運転するときのように、冷暖房の運転状態の異なる水冷ヒートポンプ１０２が混在するような場合でも、供給側配管１０３より供給された等しい温度の熱源水を用いて冷暖房が行われることになる。（例えば、特許文献１の第３図参照）
【特許文献１】特公昭６１−５５８３号公報
【発明の開示】
【発明が解決しようとする課題】
【０００４】
一般に水冷ヒートポンプは、冷房運転時は熱源水の温度が低いほど良好なエネルギー効率で冷房することができ、また、暖房運転時は熱源水の温度が高いほど良好なエネルギー効率で暖房することができる。しかし、上記の通り、従来の空調熱源装置では、暖房運転する水冷ヒートポンプと、冷房運転する水冷ヒートポンプとが混在する場合にも、同じ温度の熱源水を用いており、暖房運転及び冷房運転のエネルギー効率が悪い。
【０００５】
また、暖房運転している水冷ヒートポンプからは、熱を汲み上げられた後の低温の熱源水が排出され、冷房運転している水冷ヒートポンプからは、熱を与えられた後の高温の熱源水が排出される。低温の熱源水は冷房運転している水冷ヒートポンプへ、高温の熱源水は暖房運転している水冷ヒートポンプへ続けて供給できれば、省エネルギー効率の高い冷暖房を行えるが、従来は、水冷ヒートポンプから排出された熱源水は排出用配管で混合されており、熱源水の温度レベルを有効利用できていない。
【０００６】
本発明は上記の問題に鑑みなされたものであり、その目的は、冷房運転する水冷ヒートポンプと暖房運転する水冷ヒートポンプとが混在する場合にも省エネルギー効率の高い冷暖房を行うことができる水冷ヒートポンプ式空調熱源装置を提供することである。
【課題を解決するための手段】
【０００７】
本発明の水冷ヒートポンプ式空調熱源装置は、複数の水冷ヒートポンプを備えた空調熱源装置であって、低温の熱源水が流れる低温側配管と、高温の熱源水が流れる高温側配管と、各水冷ヒートポンプについて、前記高温側配管から前記低温側配管へ向けて熱源水が流れる状態と、前記低温側配管から前記高温側配管へ向けて熱源水が流れる状態とを切り替える方向切替手段と、前記高温側配管と、前記低温側配管との熱収支のバランスをとる熱バランス手段と、を備えることを特徴とする。
【０００８】
上記の空調熱源装置において、前記熱バランス手段は、前記高温側配管の熱源水を冷却して前記低温側配管に供給する高温熱源水冷却手段と、前記低温側配管の熱源水を加熱して前記高温側配管に供給する低温熱源水加熱手段と、前記高温側配管及び前記低温側配管の熱源水の温度に応じて前記高温熱源水冷却手段及び低温熱源水加熱手段を制御する制御手段とを有するものであってもよい。
【０００９】
また、前記高温側配管及び前記低温側配管を流れる熱源水の温度を検出する温度検出手段を備え、前記制御手段は、前記低温熱源水加熱手段が作動している場合には、前記温度検出手段により測定される高温側配管を流れる熱源水の温度が、所定の温度Ｔｍｉｎ以上に保たれるように前記低温熱源水加熱手段による熱源水の加熱量を制御し、前記高温熱源水冷却手段が作動している場合には、前記温度検出手段により測定される低温側配管を流れる熱源水の温度が、所定の温度Ｔｍａｘ以下に保たれるように前記高温熱源水冷却手段による熱源水の冷却量を制御してもよい。
【００１０】
また、前記低温熱源水加熱手段は、熱源水を加熱する温熱源機器と、前記低温側配管を流れる熱源水を前記温熱源機器を介して、前記高温側配管に送る温熱ポンプと、からなり、前記高温熱源水冷却手段は、熱源水を冷却する冷熱源機器と、前記高温側配管を流れる熱源水を前記冷熱源機器を介して、低温側配管に送る冷熱ポンプと、からなり、前記制御手段は、前記温度検出手段で測定される熱源水の温度が低下してＴｍｉｎに達すると、前記温熱ポンプ及び前記温熱源機器を運転させるとともに、前記温度検出手段で測定される温度がＴｍｉｎを下回らないように、前記温熱源機器の運転状態を制御し、前記温度検出手段で測定された熱源水の温度が上昇してＴｍａｘに達すると、前記冷熱ポンプ及び前記冷熱源機器を運転させるとともに、前記温度検出手段により測定される温度がＴｍａｘを上回らないように、前記冷熱源機器の運転状態を制御してもよい。
【００１１】
また、前記高温熱源水冷却手段及び低温熱源水加熱手段に対して、最も下流側にて前記低温側配管と前記高温側配管とを結ぶように設けられたバイパス配管と、前記バイパス配管に設けられた流量計とを備え、前記温度検出手段は、前記バイパス配管に流れる熱源水の温度を測定する温度計からなり、前記制御手段は、前記流量計により測定された流量が、前記温度計で熱源水の温度を測定することができる所定の流量以上になるように前記バイパス配管を流れる流量を、例えば、温熱ポンプ又は冷熱ポンプの流量を調整することにより制御してもよい。
【発明の効果】
【００１２】
本発明によれば、冷房運転する水冷ヒートポンプと、暖房運転する水冷ヒートポンプとが混在する場合に、冷房運転する水冷ヒートポンプにおいて熱を与えられた高温の熱源水を、暖房運転する水冷ヒートポンプにおいて採熱源として利用することができる。また、暖房運転することで熱を汲み上げられた低温の熱源水を、冷房運転する水冷ヒートポンプにおいて冷却水として利用することができるため、省エネルギー効果の高い冷暖房を行うことができる。
【発明を実施するための最良の形態】
【００１３】
以下、本発明の空調熱源装置１０の一実施形態を図面を参照しながら詳細に説明する。図１は本実施形態の空調熱源装置１０の構成を示す図である。同図に示すように、本実施形態の空調熱源装置１０は、複数の水冷ヒートポンプ１３と、各水冷ヒートポンプ１３に対応して設けられた四方弁１７と、高温側配管３２と、低温側配管３１と、高温側配管３２と低温側配管３１との間に設けられた温熱源機器１２及び冷熱源機器１１と、制御装置１６とを備える。
【００１４】
水冷ヒートポンプ１３は、供給側配管３３より供給された熱源水を使用して室の冷暖房を行い、使用後の熱源水を排出側配管３４へ排出する。水冷ヒートポンプ１３は、各々独立に運転状態を切り替えることができ、暖房運転時は熱源水から熱を汲み上げ、冷房運転時は熱源水に熱を与える。
高温側配管３２及び低温側配管３１には熱源水が流れており、高温側配管３２を流れる熱源水は低温側配管３１を流れる熱源水に比べて高温である。
【００１５】
図１に示すように、四方弁１７には、水冷ヒートポンプ１３の供給側配管３３及び排出側配管３４と、低温側配管３１と、高温側配管３２とが接続されている。四方弁１７は、水冷ヒートポンプ１３の運転状態に応じて、供給側配管３３と低温側配管３１が接続されるとともに、排出側配管３４と高温側配管３２が接続されている状態と、供給側配管３３と高温側配管３２が接続されるとともに、排出側配管３４と低温側配管３１が接続されている状態とを切り替えることができる。
【００１６】
冷熱源機器１１は、熱源水の熱を配管回路外に放出することにより熱源水を冷却することができる装置であり、例えば、冷却塔などを用いることができる。冷熱源機器１１に接続する高温側配管３２には冷熱ポンプ２１が取り付けられており、高温側配管３２の熱源水は、この冷熱ポンプ２１が作動することにより冷熱源機器１１に供給され、冷熱源機器１１により冷却された後、低温側配管３１に供給される。
【００１７】
また、温熱源機器１２は、配管回路外から熱源水に熱を供給することにより熱源水を加熱することができる装置であり、例えばボイラなどを用いることができる。温熱源機器１２に接続する低温側配管３１には、温熱ポンプ２２が取り付けられており、低温側配管３１の熱源水は、この温熱ポンプ２２が作動することにより温熱源機器１２に供給され、温熱源機器１２により加熱された後、高温側配管３２に供給される。
【００１８】
また、空調熱源装置１０は、冷熱源機器１１及び温熱源機器１２に対して最下流側の水冷ヒートポンプよりさらに下流において、低温側配管３１と高温側配管３２とを接続するように設けられたバイパス配管３５を備えている。バイパス配管３５には流量計１４及び温度計１５が設けられている。後述するように、空調熱源装置１０の運転状態が冷房優勢又は冷房のみの場合は、冷熱ポンプ２１が作動して、バイパス配管３５を低温側配管３１から高温側配管３２へと熱源水が流れる。これにより、温度計１５で測定される温度は低温側配管３１の熱源水の温度と略等しくなる。また、逆に、空調熱源装置１０の運転状態が暖房優勢又は暖房のみの場合は、温熱ポンプ２２が作動するため、バイパス配管３５を高温側配管３２から低温側配管３１へと熱源水が流れる。これにより、温度計１５で測定される温度は高温側配管３２の熱源水の温度と略等しくなる。流量計１４及び温度計１５は、測定したバイパス配管３５を流れる熱源水の流量及び温度を示す信号を制御装置１６に送信する。
【００１９】
制御装置１６は、冷熱ポンプ２１及び温熱ポンプ２２と電気的に接続されており、冷熱ポンプ２１及び温熱ポンプ２２の運転を制御することができる。制御装置１６には、予め、バイパス配管３５を流れる熱源水の温度を温度計１５により測定するために必要なバイパス配管３５の最低流量Ｆｍｉｎが設定されており、流量計１４により測定される熱源水の流量がＦｍｉｎとなるように、冷熱ポンプ２１又は温熱ポンプ２２の吐出流量を制御する。これにより、温度計１５により低温側配管３１又は高温側配管３２を流れる熱源水の温度を測ることができるとともに、冷熱源機器１１及び温熱源機器１２より最も離れた水冷ヒートポンプ１３まで確実に所要の温度の熱源水を供給することができる。
【００２０】
また、制御装置１６は、冷熱源機器１１及び温熱源機器１２と電気的に接続されており、冷熱源機器１１及び温熱源機器１２の運転のオンオフ及び冷却・加熱量を制御することができる。制御装置１６には、予め、水冷ヒートポンプの性能曲線などに基づき定められた熱源水の上限温度Ｔｍａｘと、下限温度Ｔｍｉｎとが設定されている。
【００２１】
後述するように、制御装置１６は、温度計１５により測定された熱源水の水温（以下、測定水温Ｔという）が低下してＴｍｉｎに達すると、冷熱ポンプ２１及び冷熱源機器１１の運転を停止させ、温熱ポンプ２２及び温熱源機器１２を作動させるとともに、測定水温ＴがＴｍｉｎ以下にならないように、温熱源機器１２による熱源水の加熱量を調整する。また、制御装置１６は、測定水温Ｔが上昇してＴｍａｘに達すると、温熱ポンプ２２及び温熱源機器１２を停止させ、冷熱ポンプ２１及び冷熱源機器１１を作動させるとともに、測定水温ＴがＴｍａｘ以上にならないように、冷熱源機器１１による熱源水の冷却量を調整する。
【００２２】
以下、本実施形態の空調熱源装置１０の運転状態について、全ての水冷ヒートポンプが冷房運転している場合（以下、全冷房時という）、冷房運転及び暖房運転する水冷ヒートポンプが混在し、全体として冷房が優勢な場合（以下、冷房優勢時という）、冷房運転及び暖房運転する水冷ヒートポンプが混在し、全体として暖房が優勢な場合（以下、暖房優勢時という）、及び、全ての水冷ヒートポンプが暖房運転している場合（以下、全暖房時という）に分けて説明する。
【００２３】
＝＝＝全冷房時＝＝＝
図２は、水冷ヒートポンプ１３の運転状態が全て冷房である全冷房時の空調熱源装置１０の運転状態を示す図である。同図に示すように、全ての水冷ヒートポンプ１３の四方弁１７が、低温側配管３１と供給側配管３３とを接続するとともに、高温側配管３２と排出側配管３４とを接続する状態となっている。これにより、全ての水冷ヒートポンプ１３には、低温側配管３１を流れる熱源水が供給され、供給された熱源水は熱を与えられ、高温となって高温側配管３２に排出される。
【００２４】
したがって、全冷房の状態では、熱源水の温度が全体的に上昇する。そこで、制御装置１６は、冷熱源機器１１及び冷熱ポンプ２１を作動させ、バイパス配管３５を低温側配管３１から高温側配管３２へ向けて流れる流量がＦｍｉｎとなるように冷熱ポンプ２１を制御するとともに、測定水温Ｔ（つまり、低温側配管３１における熱源水の温度）が、Ｔｍａｘになるように、冷熱源機器１１による冷却量を制御する。
【００２５】
上記した全冷房の状態において、一部の水冷ヒートポンプ１３が冷房運転から暖房運転に変わると、空調熱源装置１０は、冷房優勢の状態となる。
＝＝＝冷房優勢時＝＝＝
図３は、冷房運転する水冷ヒートポンプ１３Ａ及び暖房運転する水冷ヒートポンプ１３Ｂが混在し、冷房が優勢である場合の空調熱源装置１０の運転状態を示す図である。同図に示すように、全冷房時には、暖房運転している水冷ヒートポンプ１３Ｂの四方弁１７Ｂは、高温側配管３２Ｂと水冷ヒートポンプ１３Ｂの供給側配管３３Ｂとを接続するとともに、低温側配管３１Ｂと水冷ヒートポンプ１３Ｂの排出側配管３４Ｂとを接続する状態となっており、冷房運転している水冷ヒートポンプ１３Ａの四方弁１７Ａは、低温側配管３１Ａと水冷ヒートポンプ１３Ａの供給側配管３３Ａとが接続されるとともに、高温側配管３２Ａと水冷ヒートポンプ１３Ａの排出側配管３４Ａとが接続された状態となっている。
【００２６】
冷房運転している水冷ヒートポンプ１３Ａには、低温側配管３１を流れる熱源水が供給され、供給された熱源水は熱を与えられ、高温となって高温側配管３２に排出される。
また、暖房運転している水冷ヒートポンプ１３Ｂには、高温側配管３２を流れる熱源水が供給され、供給された熱源水は熱を汲み上げられ、低温となって低温側配管３１に排出される。
【００２７】
冷房優勢時にも全冷房時と同様に、流量計１４で測定される流量がＦｍｉｎとなるように冷熱ポンプ２１を制御するとともに、測定水温ＴがＴｍａｘとなるように冷熱源機器１１の冷却量を制御する。ただし、冷房優勢時は、暖房運転する水冷ヒートポンプ１３Ｂが熱源水から熱を汲み上げる分だけ、全冷房時に比べて、冷熱源機器１１の冷却量は小さくなり、低温側配管３１の熱源水温度がＴｍａｘより低下すると冷熱源機器１１による冷却は不要となる。そこで、制御装置１６は、測定水温ＴがＴｍａｘより低下すると冷熱源機器１１を停止させる。
【００２８】
このように、本実施形態の空調熱源装置１０によれば、冷房運転する水冷ヒートポンプ１３Ａにおいて熱を与えられた熱源水を、暖房運転する水冷ヒートポンプ１３Ｂにおいて利用することができ、また、暖房運転する水冷ヒートポンプ１３Ｂにおいて熱を汲み上げられた熱源水を、冷房運転する水冷ヒートポンプ１３Ａにおいて利用することができるため、省エネルギー効率の高い冷暖房を行うことができる。
【００２９】
冷熱源機器１１の停止後、さらに暖房運転する水冷ヒートポンプ１３の数が増えると、熱源水の温度が低下する。このように冷熱源機器１１の停止後、測定水温ＴがＴｍｉｎまで達した場合には、制御装置１６は、空調熱源装置１０の運転状態が暖房優勢へと変化したと判断し、後述する暖房優勢時の制御状態へと移行する。
【００３０】
＝＝＝暖房優勢時＝＝＝
図４は、冷房運転する水冷ヒートポンプ１３Ａと暖房運転する水冷ヒートポンプ１３Ｂとが混在し、暖房が優勢である場合の空調熱源装置１０を示す図である。同図に示すように、暖房運転している水冷ヒートポンプ１３Ｂの四方弁１７Ｂは、高温側配管３２Ｂと水冷ヒートポンプ１３Ｂの供給側配管３３Ｂとが接続されるとともに、低温側配管３１Ｂと水冷ヒートポンプ１３Ｂの排出側配管３４Ｂとが接続された状態となっており、冷房運転している水冷ヒートポンプ１３Ａの四方弁１７Ａは、低温側配管３１Ａと供給側配管３３Ａとが接続されるとともに、高温側配管３２Ａと排出側配管３４Ａとが接続された状態となっている。
【００３１】
空調熱源装置１０の運転状態が暖房優勢の場合、暖房運転する水冷ヒートポンプ１３Ｂにおいて熱源水より汲み上げられる熱量の合計が、冷房運転する水冷ヒートポンプ１３Ａにおいて熱源水に与えられる熱量の合計を超えるため、熱源水の温度が全体的に低下する。熱源水の温度が低下して、測定水温ＴがＴｍｉｎとなると、制御装置１６は、冷熱源機器１１及び冷熱ポンプ２１を停止させるとともに、温熱源機器１２及び温熱ポンプ２２を起動させる。この時、温熱ポンプ２２の運転は、バイパス配管３５を高温側配管３２から低温側配管３１へ流れる熱源水の流量がＦｍｉｎとなるように制御されることで、バイパス配管３５には高温側配管３２側より熱源水が流れ込むため、測定水温Ｔは、高温側配管３２における熱源水の温度と略等しくなる。制御装置１６は、測定水温ＴがＴｍｉｎを保持するように、温熱源機器１２の加熱量を制御する。
【００３２】
以上のように、本実施形態の空調熱源装置１０によれば、暖房運転する水冷ヒートポンプ１３Ｂにおいて熱を汲み上げられた熱源水を、冷房運転する水冷ヒートポンプ１３Ａにおいて利用することができ、また、冷房運転する水冷ヒートポンプ１３Ａにおいて熱を与えられた熱源水を、暖房運転する水冷ヒートポンプ１３Ｂにおいて利用することができるため、より省エネルギー効率の高い冷暖房を行うことができる。
【００３３】
なお、暖房優勢時に、測定水温Ｔが上昇してＴｍｉｎを超えた場合には、温熱源器１２による熱源水の加熱は不要であるので、その場合には、制御装置１６は温熱源器１２を停止させる。
【００３４】
温熱源機器１２の停止後、さらに冷房運転する水冷ヒートポンプ１３の数が増えると、熱源水の温度が上昇する。このように温熱源機器１２の停止後、測定水温ＴがＴｍａｘに達した場合には、制御装置１６は、空調熱源装置１０の運転状態が上述した冷房優勢の状態へと変化したと判断し、冷房優勢時の制御状態へと移行する。また、全ての水冷ヒートポンプ１３が暖房運転になった場合には、後述する全暖房時の制御状態へと移行する。
【００３５】
＝＝＝全暖房時＝＝＝
図５は、水冷ヒートポンプ１３の運転状態が全暖房である場合の空調熱源装置１０の運転状態を示す図である。同図に示すように、全暖房時には全ての水冷ヒートポンプ１３の四方弁１７が、高温側配管３２と供給側配管３３とを接続するとともに、低温側配管３１と排出側配管３４とを接続する状態となっている。これにより、全ての水冷ヒートポンプ１３には、高温側配管３２を流れる熱源水が供給され、供給された熱源水は熱を汲み上げられ、低温となって低温側配管３１に排出される。
【００３６】
したがって、全暖房の状態では、熱源水の温度が全体的に低下する。そこで、制御装置１６は、温熱源機器１２及び温熱ポンプ２２を作動させ、バイパス配管３５を高温側配管３２から低温側配管３１へ向けて流れる熱源水の流量がＦｍｉｎとなるように温熱ポンプ２２の流量を制御するとともに、測定温度Ｔ（つまり、高温側配管３２における熱源水の温度）が、下限温度Ｔｍｉｎを保持するように、温熱源機器１２の加熱量を制御する。
【００３７】
以上説明したように、本実施形態の空調熱源装置１０によれば、暖房運転する水冷ヒートポンプ１３Ｂと、冷房運転する水冷ヒートポンプ１３Ａとが混在する場合において、冷房運転する水冷ヒートポンプ１３Ａにおいて熱を与えられた熱源水を、暖房運転する水冷ヒートポンプ１３Ｂにおいて利用することができ、また、暖房運転する水冷ヒートポンプ１３Ｂで熱を汲み上げられた熱源水を、冷房運転する水冷ヒートポンプ１３Ａにおいて利用することができるため、省エネルギー効率の高い空調を行うことができる。
【００３８】
また、バイパス配管３５を冷熱源機器１１及び温熱源機器１２に対して最下流位置に配置し、このバイパス配管３５に流量計１４及び温度計１５を設けて、バイパス配管３５の流量がＦｍｉｎとなるように冷熱ポンプ２１又は温熱ポンプ２２を制御することで、温度計１５により低温側配管３１又は高温側配管３２の熱源水の水温を確実に測定することができる。すなわち、温度計を低温側配管３１及び高温側配管３２に設けた場合には、その温度計よりも下流側に運転状態の水冷ヒートポンプが存在しないと、温度計を通過する熱源水の流れが生じず、熱源水の水温を適切に測定することができない。これに対して、本実施形態では、冷熱ポンプ２１又は温熱ポンプ２２によりバイパス配管３５を通る熱源水の流れを強制的に生成することにより、低温側配管３１又は高温側配管３２の熱源水の水温を確実に測定でき、しかも、バイパス配管３５が最下流側位置に配置されることで、温度条件が最も厳しい（つまり、低温側配管３１では温度が最も高く、高温側配管３２では温度が最も低い）状態での熱源水の水温を測定できるのである。
【００３９】
なお、上記の説明では、四方弁１７を用いて、低温側配管３１と供給側配管３３とが接続されるとともに、高温側配管３２と排出側配管３４とが接続された状態と、高温側配管３２と供給側配管３３とが接続されるとともに、低温側配管３１と排出側配管３４とが接続された状態とを切り替える構成としたが、これに限らず、三方弁や二方弁を用いることもできる。
【図面の簡単な説明】
【００４０】
【図１】本実施計形態の空調熱源装置の構成を示す図である。
【図２】全冷房時における空調熱源装置を示す図である。
【図３】冷房優勢時における空調熱源装置を示す図である。
【図４】暖房優勢時における空調熱源装置を示す図である。
【図５】全暖房時における空調熱源装置を示す図である。
【図６】従来の空調熱源装置の構成を示す図である。
【符号の説明】
【００４１】
１０  空調熱源装置                      １１  冷熱源機器
１２  温熱源機器                        １３  水冷ヒートポンプ
１３Ａ、１３Ｂ  水冷ヒートポンプ        １４  流量計
１５  温度計                            １６  制御装置
１７Ａ、１７Ｂ  四方弁                  ２１  冷熱ポンプ
２２  温熱ポンプ                        ２３Ａ、２３Ｂ  ポンプ
３１、３１Ａ、３１Ｂ  低温側配管        ３２、３２Ａ、３２Ｂ  高温側配管
３３Ａ、３３Ｂ  供給側配管              ３４Ａ、３４Ｂ  排出側配管
３５  バイパス配管
【図１】
2007315621.tif 000003
【図６】
2007315621.tif 000004
【図２】
2007315621.tif 000005
【図３】
2007315621.tif 000006
【図４】
2007315621.tif 000007
【図５】
2007315621.tif 000008